(57)【要約】【課題】浴室の汚れの各原因を取り除くことにより浴室内の汚染防止を実現し、しかもこれらの処理動作を行う上でユーザの労力負担を軽減しつつ浴室内を洗浄する。【解決手段】給水源１１から供給されてくる水を浴室２内に散布する供給水散布工程と、給水源１１から供給されてくる水からシリカ成分の濃度を０．４ｐｐｍ以下まで低減させたシリカ除去水を浴室２内に散布するシリカ除去水散布工程と、浴室２内を乾燥させる乾燥工程とを有することを特徴とする。【選択図】図１
2019062992.tif 000002
【特許請求の範囲】
【請求項１】
給水源から供給されてくる水からシリカ成分の濃度を０．４ｐｐｍ以下まで低減させたシリカ除去水を浴室内に散布するシリカ除去水散布手段と、
上記シリカ除去水散布手段による散布後に、上記浴室内を乾燥させる乾燥手段とを備えること
を特徴とする浴室洗浄システム。
【請求項２】
シリカ除去水散布手段によるシリカ除去水の散布前に、上記給水源から供給されてくる水を浴室内に散布する供給水散布手段を更に備えること
を特徴とする請求項１記載の浴室洗浄システム。
【請求項３】
上記浴室内から上記シリカ除去水散布手段への微生物の浸入を抑制する微生物除去手段を更に備えること
を特徴とする請求項１又は２記載の浴室洗浄システム。
【請求項４】
上記乾燥手段は、予め除湿された空気を吹き付けることにより乾燥させること
を特徴とする請求項１〜３のうち何れか１項記載の浴室洗浄システム。
【請求項５】
給水源から供給されてくる水からシリカ成分の濃度を０．４ｐｐｍ以下まで低減させたシリカ除去水を浴室内に散布するとともに、上記シリカ成分を濾し取ることでこれが濃縮された残水を分離するシリカ除去水散布手段と、
上記残水を上記浴室内に散布する残水散布手段と、
上記シリカ除去水散布手段及び上記残水散布手段による散布後に、上記浴室内を乾燥させる乾燥手段とを備え、
上記残水散布手段は、上記シリカ除去水散布手段による散布前に、上記残水を上記浴室内に散布すること
を特徴とする浴室洗浄システム。
【請求項６】
上記残水散布手段は、上記残水を一時的に貯水した上でこれを上記浴室内に散布すること
を特徴とする請求項５記載の浴室洗浄システム。
【請求項７】
給水源から供給されてくる水からシリカ成分の濃度を０．４ｐｐｍ以下まで低減させたシリカ除去水を浴室内に散布するシリカ除去水散布工程と、
上記浴室内を乾燥させる乾燥工程とを有すること
を特徴とする浴室洗浄方法。
【発明の詳細な説明】
【技術分野】
【０００１】
本発明は、浴室の内壁、床、浴槽、ドア等に付着した汚れを自動的に除去することにより、浴室内の汚染防止を実現する上で好適な浴室洗浄システム及び方法に関する。
【背景技術】
【０００２】
浴室を使用し続けると、内壁、床、浴槽、ドア等には汚れが付着する。この汚れの第１原因は、皮脂や埃、石鹸等の付着による一般的な汚れが考えられる。また汚れの第２原因は、水道水に含まれるシリカ、カルシウム、マグネシウム等の溶解物質による水垢汚れが考えられる。特にこの浴室内を水道水で洗浄した場合には、浴室内に残存した水道水が蒸発し、上述した溶解物質による水垢汚れが表出される。更に汚れの第３原因は、入室者や空気の流れによって浴室内へ運ばれてくるカビや酵母等の菌類を始めとした微生物が考えられる。このような微生物によるカビ等が浴室内の内壁に付着すると擦っても簡単には除去できないしつこい汚れとなってしまう。
【０００３】
従って、浴室内の汚れを除去して清浄にするためには、これら汚れの第１原因〜第３原因の何れも取り除くことが必要となる。
【０００４】
このため、従来より、このような浴室の汚れを除去することにより、浴室内を清浄に保つことができる浴室洗浄システムに関する研究が進展している。特許文献１の開示技術では、浴室内における浴槽や洗い場に対してほぼ全面に散水し、次に洗剤を噴霧し、必要な場合には再度散水を行った上で浴室内を換気する浴室洗浄システムが提案されている。
【０００５】
しかしながら、この特許文献１の開示技術によれば、散水後に残存した水滴を拭き取ることなく換気によって蒸発乾燥させること前提としている。このため、この残存した水滴が蒸発した場合に、水道水中に含まれるシリカやマグネシウム等を始めとした溶解物質による水垢が表出化し、浴室内の内壁や床等に強固に付着してしまう虞がある。これら溶解物質が石鹸成分と結びつき、擦っても落ちにくい金属石鹸として残存する虞もある。特にこの特許文献１の開示技術では、入浴の都度、洗浄システムを動作させることを前提としていることから使用頻度が高く、上述した水垢や金属石鹸がより堆積していく可能性が高くなる。
【０００６】
このような水垢や金属石鹸等の汚れを除去するためには、酢酸やクエン酸等の酸性水溶液を浸したペーパーを汚れの上から貼り付けた後、当該水溶液の蒸発を防ぐためにラップで覆って放置することで、汚れの溶解除去性を向上させることが必要になる。またこのような汚れに対して研磨剤を使用して磨くことでも除去は可能である。但し、これら汚れの除去作業の労力の負担が大きくなるという問題点も生じる。
【０００７】
また特許文献２には、給水源から供給されてくる水道水からシリカ等の溶解物質を逆浸透膜を介して除去した上でこれを浴室内に散布する技術が開示されている。このような溶解物質を除去した水を散布することで、浴室内に上述した水垢や金属石鹸の発生の抑制が期待される。
【０００８】
しかしながら、この特許文献２の開示技術では、溶解物質を除去した水を浴室内に散布した後、特段乾燥することを行わず、いわば自然乾燥のみとなるため、水滴が乾燥するまでに長時間を要してしまう。特に気温の低い冬季は、水滴が乾燥し難く、翌日の入浴時まで乾かずに浴室が湿った状態が続いてしまう場合がある。その結果、残存して水滴に含まれている菌類が増殖する虞がある。特に特許文献２の開示技術では、このような水道水中の菌類を除去するための手段が設けられていないため、増殖した菌類によるカビ等の汚れの発生を抑制することができない可能性がある。
【０００９】
またこのような菌類の増殖が続けば、浴室の汚染除去ができないばかりなく、人体に害を及ぼす危険性も生じるという問題点がある。
【先行技術文献】
【特許文献】
【００１０】
【特許文献１】特開平１０−２１６０６８号公報
【特許文献２】特開２００９−１２５５００号公報
【発明の概要】
【発明が解決しようとする課題】
【００１１】
そこで本発明は、上述した問題点に鑑みて案出されたものであり、その目的とするところは、浴室の汚れの第１原因（皮脂や埃、石鹸等の付着による一般的な汚れ）、第２原因（水道水中のシリカ等の溶解物質による水垢汚れ）、第３原因（入室者や空気の流れによって浴室内に運ばれてくる微生物に基づくカビ等）の全てを取り除くことにより浴室内の汚染防止を実現し、しかもこれらの処理動作を行う上でユーザの労力負担を軽減した方法で浴室内を洗浄することが可能な浴室洗浄システム及び方法を提供することにある。
【課題を解決するための手段】
【００１２】
第１発明に係る浴室洗浄システムは、給水源から供給されてくる水からシリカ成分の濃度を０．４ｐｐｍ以下まで低減させたシリカ除去水を浴室内に散布するシリカ除去水散布手段と、上記シリカ除去水散布手段による散布後に、上記浴室内を乾燥させる乾燥手段とを備えることを特徴とする。
【００１３】
第２発明に係る浴室洗浄システムは、第１発明において、シリカ除去水散布手段によるシリカ除去水の散布前に、上記給水源から供給されてくる水を浴室内に散布する供給水散布手段を更に備えることを特徴とする。
【００１４】
第３発明に係る浴室洗浄システムは、第１発明又は第２発明において、上記浴室内から上記シリカ除去水散布手段への微生物の浸入を抑制する微生物除去手段を更に備えることを特徴とする。
【００１５】
第４発明に係る浴室洗浄システムは、第１発明〜第３発明の何れかにおいて、上記乾燥手段は、予め除湿された空気を吹き付けることにより乾燥させることを特徴とする。
【００１６】
第５発明に係る浴室洗浄システムは、給水源から供給されてくる水からシリカ成分の濃度を０．４ｐｐｍ以下まで低減させたシリカ除去水を浴室内に散布するとともに、上記シリカ成分を濾し取ることでこれが濃縮された残水を分離するシリカ除去水散布手段と、上記残水を上記浴室内に散布する残水散布手段と、上記シリカ除去水散布手段及び上記残水散布手段による散布後に、上記浴室内を乾燥させる乾燥手段とを備え、上記残水散布手段は、上記シリカ除去水散布手段による散布前に、上記残水を上記浴室内に散布することを特徴とする。
【００１７】
第６発明に係る浴室洗浄システムは、第５発明において、上記残水散布手段は、上記残水を一時的に貯水した上でこれを上記浴室内に散布することを特徴とする。
【００１８】
第７発明に係る浴室洗浄方法は、給水源から供給されてくる水からシリカ成分の濃度を０．４ｐｐｍ以下まで低減させたシリカ除去水を浴室内に散布するシリカ除去水散布工程と、上記浴室内を乾燥させる乾燥工程とを有することを特徴とする。
【発明の効果】
【００１９】
上述した構成からなる本発明によれば、散布した水道水が蒸発する前に、シリカ除去水が散布される。その結果、シリカ等の溶解物質を含む水道水がシリカ除去水によって洗い流すことが可能となる。このため、散布した水道水を洗い流すことで、当該水道水に含まれるシリカ、カルシウム、マグネシウム等の溶解物質の残存量を低減させることができ、水垢汚れの発生を抑えることができる。その結果、シリカ除去水の散布を通じて水垢による汚れの第２原因をも取り除くことが可能となる。なお、シリカ除去水がそのまま蒸発しても、予めシリカ成分の濃度が０．４ｐｐｍ以下まで低減されていることから、当該シリカ成分の不揮発分が浴室内に残存してしまうことも防止することが可能となる。
【図面の簡単な説明】
【００２０】
【図１】本発明に係る浴室洗浄システムが適用される浴室の斜視図である。
【図２】本発明を適用した浴室洗浄システムのブロック構成図である。
【図３】供給水散布ユニットとシリカ除去水散布ユニットにおいてそれぞれ共通の散布部とした例を示す図である。
【図４】シャワーや水栓をそれぞれ共通の散布手段とした例について示す図である。
【図５】溶解物質除去部の下流側において、微生物除去部を設けた例を示す図である。
【図６】浴室内において、乾燥した空気を吹き付ける例を示す図である。
【図７】本発明に係る浴室洗浄システムにおいて残水散布ユニットを設けた例を示す図である。
【図８】本発明に係る浴室洗浄システムにおいて残水散布ユニットを設けた他の例を示す図である。
【図９】本発明に係る浴室洗浄システムの実験的検証のフローチャートである。
【図１０】水垢抑制効果の実験結果を示す図である。
【発明を実施するための形態】
【００２１】
以下、本発明を適用した浴室洗浄システムを実施するための形態について図面を参照しながら詳細に説明をする。
【００２２】
本発明を適用した浴室洗浄システムは、図１、２に示す浴室２に適用される。図１は、浴室２の斜視図であり、図２は、浴室洗浄システム１のブロック構成図である。
【００２３】
浴室２は、浴槽３と、浴槽３に隣接する洗い場７とを備え、浴槽３と洗い場７の上部空間を囲って内空部に浴室２を形成する内壁４と、天井５とが設けられている。また、少なくとも一の内壁４には、シャワー８及び水栓９が設けられている。浴室２外には、更にユーザが浴室洗浄システム１を制御するための操作部１０が設けられている。天井５には、浴室洗浄システム１における第１散布部１６と、第２散布部２０とが形成され、更に浴室２内を乾燥するための乾燥機２２が設けられている。
【００２４】
また浴室洗浄システム１は、水道水を給水するための給水源１１と、給水源１１からの水道水を分岐し、一方をシャワー８及び水栓９へと導くと共に、他方を給水路１４へと導く分岐部１２と、一端が分岐部１２に接続された給水路１４の他端に接続された供給水散布ユニット１７及びシリカ除去水散布ユニット２１と、供給水散布ユニット１７、シリカ除去水散布ユニット２１、乾燥機２２をそれぞれ制御するための制御部２３とを備えている。供給水散布ユニット１７は、給水路１４から水道水が供給される制御弁１５を有し、この制御弁１５の出口側から上述した第１散布部１６に連続することとなる。またシリカ除去水散布ユニット２１は、給水路１４から水道水が供給される制御弁１８と、この制御弁１８から連続する溶解物質除去部１９とを有し、この溶解物質除去部１９の出口側から上述した第２散布部２０に連続することとなる。
【００２５】
制御弁１５は、制御部２３からの制御信号に基づき、給水路１４から供給されてくる水道水につき給水又は止水の制御を行うための弁である。
【００２６】
第１散布部１６は、制御弁１５を通過した水道水を浴室２内に散布するための噴射機構が設けられている。第１散布部１６は、水道水が浴室２内の浴槽３、洗い場７、内壁４、更には天井５のそれぞれに広範な範囲で散布されるように噴射式ノズルが設けられていてもよい。
【００２７】
制御弁１８は、制御部２３からの制御信号に基づき、給水路１４から供給されてくる水道水につき給水又は止水の制御を行うための弁である。
【００２８】
溶解物質除去部１９は、制御弁１５を通過した水道水が供給されてくる。この溶解物質除去部１９は、イオン交換樹脂や、逆浸透膜等が設けられ、特定の物質や成分を分離する。この溶解物質除去部１９を通じて、例えばシリカ、カルシウム、マグネシウム等の溶解物質を除去することができる。溶解物質除去部１９では、例えばシリカ成分の濃度が０．４ｐｐｍ以下まで低減させるようにしてもよい。このようなシリカ成分の濃度を０．４ｐｐｍ以下まで低減させた水を、以下、シリカ除去水という。溶解物質除去部１９は、シリカ除去水を第２散布部２０へ供給する。
【００２９】
溶解物質除去部１９を構成するイオン交換樹脂、逆浸透膜は、共に溶解物質の除去方法が異なるため、シリカ除去水に残留する成分も異なる。即ち、イオン交換樹脂は、水中で電離してイオン化している溶解物質を、イオン交換樹脂を用いて吸着するものであるため、電離する溶解物質の除去に適している。一方は、逆浸透膜は、膜を透過できない溶解物質を除去するしくみであるため、サイズの大きな溶解物質や固形物を除去するのに適している。水溶液中のシリカ成分の状態は、イオン化しているものもあるが、コロイド粒子として分散しているものが多い。本発明においては、この溶解物質除去部１９を介して主としてシリカ成分を除去することを目的としているため、イオン交換樹脂よりも逆浸透膜の方が適している。
【００３０】
また溶解物質除去部１９においてイオン交換樹脂を採用する場合、水道水中の残留塩素がこのイオン交換樹脂を劣化させる場合がある。このため、溶解物質除去部１９においてイオン交換樹脂の上流側に活性炭（カーボンフィルター等）を設置し、残留塩素を除去するようにしてもよい。一方、溶解物質除去部１９において逆浸透膜を使用する場合、逆浸透膜は塩素によって劣化する素材（ポリアミド）と、耐塩素素材（三酢酸セルロース）の２種があり、耐塩素素材であれば、活性炭の交換が不要になる。このため、システムの初期費用及び運転費用を共に低減できる。
【００３１】
溶解物質除去部１９における溶解物質の除去方法としては、供給される水道水を電気分解する方法も含まれる。例えば、陽極にアルミニウムを使用すると、アルミニウムイオンとして溶解し、陰極側から発生する水酸化イオンと結びついて、水酸化アルミニウムが生成されることが知られている。水酸化アルミニウムには強い凝集作用があり、一般的に浄水場において廃液中の微粒子や浮遊物を吸着して、沈澱させる工程で使用されている。溶解物質を吸着・沈澱するので、水道水中から溶解物質が除去される。
【００３２】
第２散布部２０は、溶解物質除去部１９から供給されてくるシリカ除去水を浴室２内に散布するための噴射機構が設けられている。第２散布部２０は、シリカ除去水が浴室２内の浴槽３、洗い場７、内壁４、更には天井５のそれぞれに広範な範囲で散布されるように噴射式ノズルが設けられていてもよい。
【００３３】
乾燥機２２は、制御部２３による制御の下で、浴室２内に温風を送風する。乾燥機２２は、外部空間から空気を吸い込んで熱を溜め込み、その熱を利用して浴室２内に温風を送風するいわゆるヒートポンプ方式、又は内部で熱を作り出して浴室２内に温風を送風する電気ヒーター方式等を採用するものであってもよい。乾燥機２２から温風を送風することにより、浴室２内の水分が蒸発することで乾燥させることが可能となる。なお、この乾燥機２２は、換気扇により浴室２内から高湿な空気を排出するものも含まれる。
【００３４】
操作部１０は、浴室２外に設置された操作パネル又はリモートコントローラ等で構成されており、制御部２３に対して操作信号を有線通信又は無線通信を通じて送信可能なデバイスである。操作部１０は、ユーザにより浴室２内の洗浄を開始する旨の入力が行われた場合に、これを反映させた操作信号を制御部２３に送信する。
【００３５】
制御部２３は、制御弁１５、制御弁１８の開閉及び乾燥機２２による乾燥開始又は乾燥停止を制御する。制御部２３は、操作部１０から操作信号を受信した場合には、当該操作信号に反映されているユーザの意思に基づき、各種制御を行う。制御部２３は、例えばＣＰＵ（Central Processing Unit）による制御の下で、予め記憶させたプログラムに基づいてこれらの制御を行うようにしてもよい。制御部２３は、例えば制御弁１５、制御弁１８の各開弁時間及び乾燥機２２による乾燥時間を時系列的に制御するようにしてもよい。
【００３６】
上述した構成からなる浴室洗浄システム１によれば、給水路１４から送られてくる水道水を供給水散布ユニット１７を介してそのまま浴室２内に散布することができる。また浴室洗浄システム１によれば、更に給水路１４から送られてくる水道水からシリカ成分を低減させたシリカ除去水をシリカ除去水散布ユニット２１を介して浴室２内に散布することができる。更に浴室洗浄システム１によれば、乾燥機２２を介して浴室２内を乾燥させることができる。
【００３７】
次に本発明を適用した浴室洗浄システム１による浴室２内の洗浄動作について説明をする。
【００３８】
ユーザが浴室２内に在室している間などの操作部１０を介して洗浄開始の指示を行う前は、操作信号が生成されないため、制御弁１５、１８は共に閉弁状態となっている。このため、給水源１１から供給されてくる水道水は、分岐部１２を介してシャワー８及び水栓９のみから出射することとなる。ユーザが浴室２から退出後、操作部１０を介して浴室の洗浄開始の指示が行われる。操作部１０はかかる洗浄開始の指示を受けた場合に、これを反映させた操作信号を生成し、制御部２３へ送信する。なお、ユーザによる操作部１０の操作を経ることなく、ユーザが浴室の終了を自動的に検知して上述した操作信号を生成し、これを制御部２３へ送信するようにしてもよい。
【００３９】
制御部２３は、かかる操作信号を受信し、浴室２内の洗浄処理を開始する。制御部２３は、先ず制御弁１５を開弁するための制御を行う。その結果、給水源１１からの水道水は、給水路１４を通過し、制御弁１５を通過して第１散布部１６へと到達することとなる。ちなみに浴室２内の洗浄処理の開始時は、ユーザによる浴室２の使用後であることから、水道水が分岐部１２を介して分岐されてシャワー８等から出射されるケースは少ない。第１散布部１６に到達した水道水は、浴室２内に散布される。この水道水は、浴槽３、洗い場７、内壁４、更には天井５等、浴室２全体に亘り散布される。このため、ユーザが浴室２を使用することにより、内壁４や洗い場７等に付着した皮脂や埃、石鹸等が除去される。その結果、この第１散布部１６を介した水道水の散布を通じて皮脂や埃、石鹸等の付着による汚れの第１原因を取り除くことが可能となる。
【００４０】
制御部２３は、この第１散布部１６による水道水の散布を所定時間に亘り継続させた後、制御弁１５を閉弁する。これにより第１散布部１６による水道水の散布が終了する。
【００４１】
次に制御部２３は、制御弁１８を開弁するための制御を行う。その結果、給水源１１からの水道水は、給水路１４を通過し、制御弁１８を通過して溶解物質除去部１９に到達することとなる。溶解物質除去部１９に到達した水道水は、イオン交換樹脂や、逆浸透膜等を介してシリカ等の溶解物質が除去される。このとき、水道水は、シリカ成分の濃度が０．４ｐｐｍ以下まで低減されたシリカ除去水に変化することとなる。このシリカ除去水は、第２散布部２０へと到達することとなる。第２散布部２０に到達したシリカ除去水は、浴室２内に散布される。このシリカ除去水は、浴槽３、洗い場７、内壁４、更には天井５等、浴室２全体に亘り散布されることとなる。その結果、このシリカ除去水を通じて浴室２内の内壁４や洗い場７等を洗い流すことができる。
【００４２】
以前に第１散布部１６により散布した水道水はシリカ等の溶解物質が含まれているものであるため、当該水道水の散布後に放置しておくとこれが蒸発乾燥し、シリカ等が水垢として付着してしまう。しかし本発明によれば、第１散布部１６により散布した水道水が蒸発する前に、第２散布部２０を介してシリカ除去水が散布される。その結果、シリカ等の溶解物質を含む水道水がシリカ除去水によって洗い流すことが可能となる。このため、第１散布部１６により散布した水道水を洗い流すことで、当該水道水に含まれるシリカ、カルシウム、マグネシウム等の溶解物質の残存量を低減させることができ、水垢汚れの発生を抑えることができる。その結果、この第２散布部２０を介したシリカ除去水の散布を通じて水垢による汚れの第２原因をも取り除くことが可能となる。なお、シリカ除去水がそのまま蒸発しても、予めシリカ成分の濃度が０．４ｐｐｍ以下まで低減されていることから、当該シリカ成分の不揮発分が浴室２内に残存してしまうことも防止することが可能となる。
【００４３】
制御部２３は、この第２散布部２０によるシリカ除去水の散布を所定時間に亘り継続させた後、制御弁１８を閉弁する。これにより第２散布部２０によるシリカ除去水の散布が終了する。
【００４４】
次に制御部２３は、乾燥機２２により浴室２内の乾燥を開始するように制御を行う。乾燥機２２により浴室２内に残存しているシリカ除去水の水滴を乾燥させることができる。その結果、自然乾燥させる場合と比較して早期にシリカ除去水を除去することができ、ユーザが浴室２に毎日入浴しても、入室者や空気の流れによって浴室内に運ばれてくる微生物の増殖を抑制する上で十分な時間に亘り乾燥状態を保つことができ、ひいては増殖した微生物によるカビの発生を抑えることが可能となり、汚れの第３原因（水道水に含まれる微生物に基づくカビ等）を取り除くことが可能となる。制御部２３は、乾燥機２２による乾燥を所定時間に亘り継続させた後、乾燥を停止させるように制御する。
【００４５】
上述した動作に基づいて浴室２内を洗浄する浴室洗浄システム１によれば、浴室の汚れの第１原因（皮脂や埃、石鹸等の付着による一般的な汚れ）、第２原因（水道水中のシリカ等の溶解物質による水垢汚れ）、第３原因（入室者や空気の流れによって浴室内に運ばれてくる微生物に基づくカビ等）の全てを取り除くことによる浴室２内の汚染防止を実現することが可能となる。しかも浴室洗浄システム１によれば、上述した洗浄動作を全てシステム側が自動的に実行することができることから、ユーザによる洗浄労力の負担を軽減することが可能となる。
【００４６】
なお、溶解物質除去部１９に使用されるイオン交換樹脂や逆浸透膜等には水から除去した溶解物質が徐々に蓄積していくことになり、ひいては溶解物質除去性能の低下につながる場合もある。しかしながら、本発明は、第１散布部１６から水道水を大量に散布して、汚れの第１原因である皮脂や石鹸等を徹底的に洗い流した後、第２散布部２０からその水道水を単に洗い流すことができる程度の僅かな量のシリカ除去水を散布して第２原因を取り除けばよい。このため、シリカ除去水の散布量を大幅に削減できることから、溶解物質除去部１９におけるイオン交換樹脂や逆浸透膜等に蓄積する溶解物質の量を低減することができる。その結果、溶解物質除去部１９による溶解物質除去性能を長時間に亘り維持することができ、またその溶解物質除去性能を回復させるためのイオン交換樹脂や逆浸透膜等の交換するための労力やコスト、並びに浴室の清掃などの、浴室の清浄状態を維持するための労力やコストを低減させることが可能となる。
【００４７】
なお本発明においては、供給水散布ユニット１７の構成を省略するようにしてもよい。かかる場合には、供給水散布ユニット１７による水道水の散布工程を省略し、シリカ除去水の散布から開始することになる。かかる場合においても上述した効果が得られる。
【００４８】
図３は、浴室洗浄システム１の他の実施の形態を示している。図３に示す形態において、図２に示す形態と同一の構成要素、部材については、同一の符号を付すことにより以下での説明を省略する。
【００４９】
図３に示す形態では、供給水散布ユニット１７とシリカ除去水散布ユニット２１においてそれぞれ共通の散布部２５とし、第１散布部１６、第２散布部２０の構成を採用しない。即ち、この散布部２５は、制御弁１５及び溶解物質除去部１９の両方から連続する。制御弁１５が開弁状態で、かつ制御弁１８が閉弁状態の場合には、供給水散布ユニット１７から水道水がこの散布部２５を介して浴室２内に散布される。また制御弁１５が閉弁状態で、かつ制御弁１８が開弁状態の場合には、シリカ除去水散布ユニット２１からシリカ除去水がこの散布部２５を介して浴室２内に散布される。かかる構成においても上述と同様の効果を奏することは勿論である。
【００５０】
図４は、浴室洗浄システム１の他の実施の形態を示している。図４に示す形態において、図２に示す形態と同一の構成要素、部材については、同一の符号を付すことにより以下での説明を省略する。
【００５１】
図４に示す形態では、供給水散布ユニット１７とシリカ除去水散布ユニット２１においてシャワー８や水栓９をそれぞれ共通の散布手段とし、第１散布部１６、第２散布部２０の構成を採用しない。シャワー８及び水栓９は、制御弁１５及び溶解物質除去部１９の両方から連続する。制御弁１５が開弁状態で、かつ制御弁１８が閉弁状態の場合には、供給水散布ユニット１７から水道水がこのシャワー８及び水栓９を介して散布可能となる。この散布によって、ユーザによる入浴時並びに、水道水を介して汚れの第１原因である皮脂や石鹸等を洗い流すことができる。
【００５２】
シャワー８又は水栓９により水道水を介して皮脂や石鹸等を洗い流した後、制御部２３は、制御弁１５を閉弁状態とし、制御弁１８を開弁状態とする。その結果、シリカ除去水散布ユニット２１からシリカ除去水がこのシャワー８又は水栓９を介して浴室２内に散布される。このシリカ除去水の散布時は、シャワー８を利用してユーザの手動で浴槽３、洗い場７、内壁４、更には天井５等に対して自ら散布を行うようにしてもよい。
【００５３】
図５は、浴室洗浄システム１の他の実施の形態を示している。図５に示す形態において、図２に示す形態と同一の構成要素、部材については、同一の符号を付すことにより以下での説明を省略する。
【００５４】
図５に示す形態では、溶解物質除去部１９の下流側において、微生物除去部２４を設けている。この微生物除去部２４は、例えば微生物を除去することが可能な精密ろ過膜、或いは微生物を殺菌するための紫外線殺菌灯による殺菌手段、次亜塩素酸発生器による殺菌手段、またはそれらのうちのいくつかの組み合わせにより構成されている。微生物除去部２４の下流側に上述した第２散布部２０が位置する。微生物除去部２４は、溶解物質除去部１９から流下してきたシリカ除去水から微生物の含有量を低減させ、これを第２散布部２０へと送る。第２散布部２０はこの微生物の含有量が低減された状態のシリカ除去水を散布する。或いは、この微生物除去部２４は、第２散布部２０から溶解物質除去部１９に浸入しようとする微生物の含有量を低減させる。これにより、第２散布部２０から溶解物質除去部１９に微生物が浸入することによる、シリカ除去水の汚染を防止することができる。
【００５５】
溶解物質除去部１９によりシリカ成分が低減されたシリカ除去水は、水道水に殺菌用として含まれる塩素成分等も減少している場合が多い。このため、このような微生物殺菌機能が低下したシリカ除去水をそのまま浴室２内に散布した場合、浴室２の内壁４や洗い場７等に付着した水分中の微生物の発生を抑制することができなくなる。
【００５６】
しかしながら、この図５に示す形態では、微生物除去部２４を通じてシリカ除去水中の微生物の含有量を低減させている。このため、このような微生物含有量の低いシリカ除去水を散布しても、浴室２内に付着した水分中において微生物が増殖するのを抑制することが可能となる。その結果、汚れの第３原因（水道水に含まれる微生物に基づくカビ等）をより効果的に取り除くことが可能となる。また浴室２内において微生物の増殖を抑えることができれば、例えばレジオネラ肺炎の原因にもなるレジオネラ属菌の発生を抑えることができ、浴室２内に入室者がこれを吸い込むことによる発症を抑えることが可能となる。また微生物除去部２４を設けることにより、散布部２０から微生物が溶解物質除去部１９まで遡ってシリカ除去水を汚染することを食い止めることが可能となる。その結果、これ以降において微生物により汚染されたシリカ除去水を散布することを抑制することが可能となる。
【００５７】
図６に示す形態では、浴室２内において、乾燥した空気を吹き付けるものである。係る場合において乾燥機２２において予め除湿させた乾燥空気を作り出し、これを浴室２内に送気する。乾燥機２２は、例えば中空糸膜を通して除湿することで乾燥空気を作り出すようにしてもよい。
【００５８】
このような乾燥空気を乾燥機２２から浴室２内に送気することにより、浴室２内には図６に示すように乾燥空気が内壁４に沿って循環することとなる。これにより、浴室２内に付着した水滴の周囲の空気が継続的に移動して蒸発乾燥効率も上昇し、通常の換気扇による乾燥に比べて、水滴の乾燥に要する時間が短縮される。特にこの浴室２内において循環させる乾燥空気は、予め湿度が低くなるように調整が行われており、しかも温度が高い。このため、浴室２内の水分の蒸発効率を更に向上させることが可能となる。
【００５９】
また乾燥機２２から内壁４や洗い場７等に対して乾燥空気を吹き付ける圧力を高め、吐出量を増加させることにより、付着した水滴を吹き飛ばし、押し流し、或いは振り落とすことが可能となり、さらに水滴の蒸発時間を大幅に短縮することが可能となる。これにより、浴室２内がより乾燥している状態を更に長くすることができ、浴室２内における微生物の更なる増殖抑制につながり、汚れの第３原因（水道水に含まれる微生物に基づくカビ等）をより効果的に取り除くことが可能となる。また、乾燥に要する時間が短縮されるので乾燥に要するコストも低減することができる。
【００６０】
図７は、浴室洗浄システム１の他の実施の形態を示している。図７に示す形態において、図２に示す形態と同一の構成要素、部材については、同一の符号を付すことにより以下での説明を省略する。
【００６１】
図７に示す形態において、浴室洗浄システム１は、シリカ除去水散布ユニット２１と、残水散布ユニット２９とを備えている。シリカ除去水散布ユニット２１は、溶解物質除去部１９の下流側に貯水部２７が設けられ、更にこの貯水部２７の下流側にシリカ除去水散布駆動部２８が設けられ、シリカ除去水散布駆動部２８の下流側に第２散布部２０が設けられている。
【００６２】
また残水散布ユニット２９は、溶解物質除去部１９により濾し取られたシリカ成分等を溶解することで、がそれらの成分の濃度が増加した残水が供給され、これを浴室２内に散布するための第３散布部３０が設けられている。
【００６３】
貯水部２７は、溶解物質除去部１９によりシリカ成分等が低減されたシリカ除去水を一時的に貯留するためのタンク等により構成されている。
【００６４】
シリカ除去水散布駆動部２８は、貯水部２７に貯留されているシリカ除去水を第２散布部２０から散布させるための駆動を行う。シリカ除去水散布駆動部２８は、この散布駆動のタイミングが制御部２３により制御される。
【００６５】
この図７に示す形態によれば、溶解物質除去部１９においてシリカ等の溶解物質を除去してシリカ除去水とする過程において、溶解物質除去部１９における逆浸透膜を介して濾し取られたシリカ成分等を溶解しそれらの成分の濃度が増加した残水を分離する。この残水は、シリカ除去水よりも量が多い場合もある。残水散布ユニット２９は、このような大量の残水を有効活用するべく、第３散布部３０を介してこれを浴室２内に散布する。この残水を散布することにより、内壁４や洗い場７等に付着した皮脂や埃、石鹸等を除去することができる。その結果、この第３散布部３０を介した残水の散布を通じて皮脂や埃、石鹸等の付着による汚れの第１原因を取り除くことが可能となる。即ち、この図７に示す形態では、汚れの第１原因による皮脂や埃、石鹸等の付着を、水道水の代わりに残水を介して除去する。このような残水の散布している間、シリカ除去水は貯水部２７に貯留されている。
【００６６】
残水の散布を終了させた後、シリカ除去水散布駆動部２８は、貯水部２７に貯留されているシリカ除去水を第２散布部２０を介して散布する。第３散布部３０により散布した残水はシリカ等の溶解物質が含まれているものであるため、放置しておくとこれが蒸発乾燥し、シリカ等が水垢として付着してしまう。しかし、この残水が蒸発する前に、第２散布部２０を介してシリカ除去水が散布される。その結果、シリカ等の溶解物質を含む残水をシリカ除去水によって洗い流すことが可能となる。
【００６７】
この図７の形態では、溶解物質除去部１９に使用されるイオン交換樹脂や逆浸透膜等において溶解物質が蓄積することは殆ど無く、これを第３散布部３０を介して残水により放出することが可能となる。その結果、溶解物質除去部１９においてシリカ等が蓄積することによる溶解物質除去性能の低下を抑えることができる。またこの図７の形態では、水道水による第１原因の除去の役割を残水に担わせることにより、水道水の散布工程を省略することができる。これにより、洗浄に使用する水道水の量を低減させることが可能となる。
【００６８】
図８は、浴室洗浄システム１の他の実施の形態を示している。図８に示す形態において、図７に示す形態と同一の構成要素、部材については、同一の符号を付すことにより以下での説明を省略する。
【００６９】
図８に示す形態では、残水散布ユニット２９の内部に貯水部３１と、残水散布駆動部３２を有している。貯水部３１は、溶解物質除去部１９により濾し取られたシリカ成分等の溶解物質が濃縮された残水が供給される。貯水部３１は、供給されてきた残水を一時的に貯留するタンクで構成されている。
【００７０】
残水散布駆動部３２は、貯水部３１に貯留されている残水を第３散布部３０から散布させるための駆動を行う。残水散布駆動部３２は、この散布駆動のタイミングが制御部２３により制御される。
【００７１】
この図８の形態によれば、貯水部３１に残水を一旦貯留しておく。そして、実際の散布のタイミングにおいて残水散布駆動部３２による駆動により、この貯留されている残水を第３散布部３０を介して散布する。貯水部３１に残水を貯留しておくことにより、第３散布部３０による散布時にまとまった量の残水を一気に噴出させることができる。その結果、散布する残水の水量を増やすことができ、出水圧力を上げることができる。
【実施例１】
【００７２】
以下、本発明を適用した浴室洗浄システム１の実施例について説明をする。上述した構成からなる本発明の作用効果を検証する観点から、以下に示す実験的検証を行った。図９は、この実験的検証のフローチャートである。
【００７３】
実験的検証を行う上で、サイズ５００×５００×５００ｍｍの試験用箱を作成した。この試験用箱の内面の材料は、一般の浴室の内壁として用いられているアクリル樹脂で構成した。試験用箱は、グループＡ〜グループＥの５種類分準備した。
【００７４】
ステップＳ１０において、全グループの試験用箱の内壁及び底面に対して汚染物質の噴霧を行った。汚染物質としては、入浴時の皮脂と石鹸を含む排水を想定し、「手洗いした石鹸水」を１０００ｍｌに菌の増殖を促進させるためのグルコース１０ｇを混合したものを使用している。この汚染物質の噴霧量は１００ｍｌとしている。なおグループＥの試験用箱は、ステップＳ１０終了後、ステップＳ１１に移行してそのまま自然乾燥させた。
【００７５】
次にステップＳ１２に移行し、汚染物質を噴霧したグループＡ〜グループＤの試験用箱に対して１時間放置後、水道水を噴霧した。次にステップＳ１３へ移行し、３０分放置後、グループＡ〜グループＤの試験用箱の箱内全面に対して水道水を２ｌ散水した。
【００７６】
グループＡ、Ｂの試験用箱については、ステップＳ１４において更に箱内全面に対して水道水を２ｌ散水した。またグループＣ、Ｄの試験用箱については、ステップＳ１５において箱内全面に対してイオン交換水２ｌを散水した。この散水したイオン交換水は、シリカ、およびミネラル等の不純物を除去した水であって、電気伝導度０．２μＳ／ｃｍのものとしている。
【００７７】
グループＡについては、ステップＳ１６に移行し、試験用箱内に除湿した乾燥空気を吹き入れて内部を乾燥させた。グループＢについては、ステップＳ１７に移行し、そのまま放置して自然乾燥させた。グループＣについては、ステップＳ１８に移行し、試験用箱内に除湿した乾燥空気を吹き入れて内部を乾燥させた。グループＤについては、ステップＳ１９に移行し、そのまま放置して自然乾燥させた。
【００７８】
グループＡ〜Ｅの各試験用箱について、初回の散水洗浄（ステップＳ１３）、２回目の散水洗浄（ステップＳ１４、Ｓ１５）、乾燥（ステップＳ１１、Ｓ１６〜Ｓ１９）を以下の表１に分類、整理している。
【００７９】
【表１】
2019062992.tif 000003
【００８０】
各グループＡ〜Ｅの試験用箱について、上述した操作を１日１回、２．５ヶ月繰り返し実行した。その後、各グループの試験用箱の床及び内壁の汚れ度合を目視で評価し、箱内の生菌数（一般細菌数）を測定した。この生菌数の測定方法としては、（株）エルメックス製Pro・media ST-25 PBS（拭き取り検査キット）を使用し、生菌数を測定しようとする任意の箇所5×5cmの縦横往復10回を2回繰り返し拭き取りを行う。拭き取り後は容器に戻し、液中に分散させ、これを検液10倍液とする。検液10倍液、100倍液、1000倍液、10000倍液、100000倍液、1000000倍液のそれぞれについてシャーレに各1mLずつ正確に滅菌ピペットで採り、加温溶解させて50℃程度に保持した栄研化学パールコア製標準寒天培地を加え、静かに混和、冷却凝固させる。検液をシャーレに採ってから培地を加えるまでに20分以内に行う。培養は温度35℃、時間は48時間とする。検出されたコロニーを測定し、1cm2あたりの菌数を算出する。
汚れ度合の評価基準を以下に示す。
６：床及び内壁の１/２以上が汚れで覆われている。
５：床及び内壁の１/４以上１/２未満が汚れで覆われている。
４：床及び内壁の１/４未満が汚れで覆われている。
３：床及び内壁の一部に汚れが確認できる。
２：床及び内壁の一部に水の蒸発痕が確認できる。
１：ステップＳ１０の汚染物質噴霧前の初期状態と変わらない。
【００８１】
以下の表２には、この目視による汚れ度合の評価結果を、また表３には、測定した生菌数を示す。
【００８２】
【表２】
2019062992.tif 000004
【００８３】
【表３】
2019062992.tif 000005
【００８４】
表２から示唆されることとしては、グループＢは、グループＥと比較して汚れ度合が格段に改善されていた。このため、散水により汚れ度合が大きく改善できることを確認することができた。またグループＡはグループＢよりも汚れ度合が改善され、グループＣはグループＤよりも汚れ度合が改善されている。これにより、単なる自然乾燥よりも乾燥空気を吹き付けることにより、汚れ度合が大きく改善できることを確認することができた。またグループＣは、グループＡよりも汚れ度合が改善されていた。このため、乾燥空気を吹き付ける場合において、イオン交換水を散布することにより、汚れ度合を改善できることを確認することができた。
【００８５】
表３から示唆されることとしては、グループＢは、グループＥと比較して生菌数が大幅に減少していたことから、散水により微生物を低減できることを確認することができた。また、またグループＡはグループＢよりも生菌数が減少し、グループＣはグループＤよりも生菌数が減少している。これにより、単なる自然乾燥よりも乾燥空気を吹き付けることにより、生菌数が大きく減少することを確認することができた。
【００８６】
以上から、汚れ度合を改善し、生菌数の減少させるためには、水道水を散水した後にイオン交換水を散水し、更に乾燥空気により乾燥させることが効果的であることを実験的に検証することができた。
【実施例２】
【００８７】
シリカ除去水による水垢抑制効果を実験的に検証した結果について説明をする。実験では、シリカ除去水をアクリル樹脂に散布した。その後６０分にわたり乾燥させ、再度このアクリル樹脂にシリカ除去水を散布と乾燥を繰り返し実行する。このシリカ除去水の散布と乾燥を、試験体の表面に水垢成分が目視できるレベルに堆積するまで繰り返す。この実験を繰り返す過程で目視で水垢が確認できた繰り返し回数をプロットする。かかる実験を、シリカの濃度を互いに異ならせたシリカ除去水についてそれぞれ行った。
【００８８】
表４は、水垢抑制効果の実験結果を示している。
【００８９】
【表４】
2019062992.tif 000006
【００９０】
また図１０は、表４の実験結果をグラフに表示したものである。横軸がシリカ除去水中のシリカ濃度であり、縦軸は、シリカ除去水の散布と乾燥の繰り返し回数を示している。実験は、シリカ除去水として、逆浸透膜を通すことでＣａやＭｇも除去した水を使用し、比較のためにＣａやＭｇの量が水道水と同じレベルの水についても同様の実験を行っている。図１０中のプロットが水垢の発現を確認できた繰り返し回数である。シリカ濃度と、水垢が発現する繰り返し回数の関係はほぼ線形の関係にあることが示されている。またシリカ濃度が高いほど水垢発現の繰り返し回数が少なくなり、シリカ濃度が低いほど水垢発現の繰り返し回数が多くなることが示されている。このため、シリカ除去水中のシリカ濃度を低くするほど水垢抑制効果が高くなることが示唆されていた。中でもシリカ成分の濃度を０．４ｐｐｍ以下まで低減することができれば、水垢発現の繰り返し回数が２５回程度になることから、所期の水垢抑制効果が得られることが分かる。また、シリカ除去水は、シリカ以外の水垢の原因とされるＣａやＭｇの量が水道水と同じレベルであっても水垢抑制効果が向上する点も示唆されていた。
【符号の説明】
【００９１】
１  浴室洗浄システム
２  浴室
３  浴槽
４  内壁
５  天井
７  洗い場
８  シャワー
９  水栓
１０  操作部
１１  給水源
１２  分岐部
１４  給水路
１５  制御弁
１６  第１散布部
１７  供給水散布ユニット
１８  制御弁
１９  溶解物質除去部
２０  第２散布部
２１  シリカ除去水散布ユニット
２２  乾燥機
２３  制御部
２４  微生物除去部
２５  散布部
２７  貯水部
２８  シリカ除去水散布駆動部
２９  残水散布ユニット
３０  第３散布部
３１  貯水部
３２  残水散布駆動部
【図１】
2019062992.tif 000007
【図２】
2019062992.tif 000008
【図３】
2019062992.tif 000009
【図４】
2019062992.tif 000010
【図５】
2019062992.tif 000011
【図６】
2019062992.tif 000012
【図７】
2019062992.tif 000013
【図８】
2019062992.tif 000014
【図９】
2019062992.tif 000015
【図１０】
2019062992.tif 000016